(57)【要約】【課題】放射線防護衣の着易さ、作業性を損なうことなく、簡便な方法により、放射線防護衣のアームホールからの放射線の侵入を防ぐことができる放射線防護具を提供する。【解決手段】放射線防護具１は、内周弧状部１１と外周弧状部１２とによって幅広の略Ｃ字状に形成された放射線遮蔽シート部１０と、内周弧状部１１の両端部近傍に取り付けられた、長さ調節手段２５を有する肩吊り紐２０とを備える。内周弧状部の一方端部１１ａと外周弧状部の一方端部１２ａとの間の長さＬ１は、内周弧状部の他方端部１１ｂと外周弧状部の他方端部１２ｂとの間の長さＬ３よりも長く形成されている。【選択図】図１
0003193148.tif 000002
【実用新案登録請求の範囲】
【請求項１】
内周弧状部と外周弧状部とによって幅広の略Ｃ字状に形成された放射線遮蔽シート部と、前記内周弧状部の両端部近傍に取り付けられた、長さ調節手段を有する肩吊り紐とを備えた放射線防護具。
【請求項２】
前記内周弧状部の一方端部と前記外周弧状部の一方端部との間の長さが、前記内周弧状部の他方端部と前記外周弧状部の他方端部との間の長さよりも長く形成されている、請求項１に記載の放射線防護具。
【請求項３】
前記内周弧状部の中間部と前記外周弧状部の中間部との間の長さが、前記内周弧状部の一方端部と前記外周弧状部の一方端部との間の長さよりも長く形成されている、請求項２に記載の放射線防護具。
【請求項４】
前記肩吊り紐は滑り止め部材を備えた請求項１〜３のいずれかに記載の放射線防護具。
【考案の詳細な説明】
【技術分野】
【０００１】
本考案は、放射線防護具、詳しくは、診療放射線従事者等が放射線防護のために着用する放射線防護具に関する。
【背景技術】
【０００２】
診療放射線従事者は、放射線被曝による身体への健康被害を避けるため、高い遮蔽性を有する鉛等を含有した塩化ビニル樹脂等の放射線遮蔽シートを用いて製造された放射線防護衣を着用して作業を行っている。
従来、この種の放射線防護衣として、袖なしのコート型ないしハーフコート型のものが広く知られている。
例えば、特許文献１には、互いに重ね合わされる左右前身頃２，３と、後身頃４と、アームホール部５とを有する放射線防護衣が記載されている（図１，２，５，６ほか）。
【０００３】
このような防護衣は、通常、使用者の体型を考慮し、Ｓ，Ｍ，Ｌ，ＬＬ等の各サイズの製品が供給されている。各サイズにおける着丈、前幅、アームホールの大きさ等は、体型の平均値、着易さ、作業性等、様々な要素を考慮して決定されている。
しかし、人の体型は千差万別であり、男女の体型にも相違がある。防護衣自体は可撓性を有するものの伸縮性は殆どなく、女性は胸部の膨らみがあるため、着用時ないし肩部を動かす動作時にアームホールの胸部側が開きやすい傾向がある。このような場合、アームホールからの散乱線（放射線）の侵入を防ぐべく放射線防護衣のアームホールの大きさを単に小さく設定すると、男性は着られなくなり汎用性に欠け、女性用としたとしても肩の動きが妨げられて着易さや作業性が損なわれるという不都合がある。
【先行技術文献】
【特許文献】
【０００４】
【特許文献１】特開２０１２−１３２１２７公報
【考案の概要】
【考案が解決しようとする課題】
【０００５】
本考案は、上記背景技術の項で述べた不都合を解消すべく考案されたもので、放射線防護衣の着易さ、作業性を損なうことなく、簡便な方法により、放射線防護衣のアームホールからの放射線の侵入を防ぐことができる放射線防護具を提供することを課題とする。
【課題を解決するための手段】
【０００６】
（１）内周弧状部と外周弧状部とによって幅広の略Ｃ字状に形成された放射線遮蔽シート部と、前記内周弧状部の両端部近傍に取り付けられた、長さ調節手段を有する肩吊り紐とを備えた放射線防護具である。
（２）前記内周弧状部の一方端部と前記外周弧状部の一方端部との間の長さが、前記内周弧状部の他方端部と前記外周弧状部の他方端部との間の長さよりも長く形成されているものである。
（３）前記内周弧状部の中間部と前記外周弧状部の中間部との間の長さが、前記内周弧状部の一方端部と前記外周弧状部の一方端部との間の長さよりも長く形成されているものである。
（４）前記肩吊り紐は滑り止め部材を備えたものである。
【考案の効果】
【０００７】
（１）本考案によれば、アームホールを有する放射線防護衣を着用する前に、本考案に係る放射線防護具の放射線遮蔽シート部の内周弧状部を脇下に位置させ、肩吊り紐を肩に吊りかけて着用することにより、身体の脇下部近傍の胸面部から脇下部を含み背面部にかけて幅広の略Ｃ字状に形成された放射線遮蔽シート部によって覆われるため、簡便に放射線防護衣のアームホールからの放射線の侵入を防ぐことができる。
また、放射線防護具は、放射線防護衣とは分離している別体であるから、放射線防護衣の着脱のし易さは損なわれず、かつ着用時においては肩部の動作が束縛されないため、作業性、動作性が損なわれることがない。
また、肩吊り紐は長さ調節手段を有するため、どのような体型にも適合し、男女の区別なく男女兼用とし、フリーサイズの製品となし得るので、製造上も使用上も経済的である。
また、放射線防護具は、防護衣本体と異なり小型で安価であるため、個人専用としての使用や私的購入もし易い。
さらに、左右別体であるから、必要に応じていずれかを適宜選択して使用することもできる。
（２）内周弧状部の一方端部と外周弧状部の一方端部との間の長さが、内周弧状部の他方端部と外周弧状部の他方端部との間の長さよりも長く形成されている構成により、胸部への放射線の侵入が確実に防がれるとともに、良好な着用感が得られる。
（３）内周弧状部の中間部と外周弧状部の中間部との間の長さが、内周弧状部の一方端部と外周弧状部の一方端部との間の長さよりも長く形成されている構成により、アームホールからの放射線の侵入が確実に防がれるとともに、バランスのとれた良好な着用感が得られる。
（４）肩吊り紐は滑り止め部材を備えた構成により、放射線防護具の肩吊り紐が確実に肩部にフィットし、ずれることがなく、優れた着用感が得られる。
【図面の簡単な説明】
【０００８】
【図１】放射線防護具１の側面図である。
【図２】放射線防護具１の使用状態を表す斜視図である。
【図３】放射線防護具１の使用状態を表す斜視図である。
【考案を実施するための形態】
【０００９】
放射線遮蔽シート部１０を、内周弧状部１１と外周弧状部１２とによって幅広の略Ｃ字状に形成するとともに、内周弧状部１１の両端部近傍に、長さ調節手段２５を有する肩吊り紐２０を取り付けることにより、放射線防護具１を構成した。
以下、本考案を実施するための形態を図面に基いて説明する。
なお、図示の放射線防護具１は、左肩装着用のものである。右肩装着用のものは、左肩装着用のものと対称形をなす。
【実施例】
【００１０】
＜放射線遮蔽シート部＞
放射線遮蔽シート部１０は、所定の放射線遮蔽性能を有する、鉛又はその他の放射線遮蔽元素を含有した塩化ビニル樹脂等の放射線遮蔽シートを用いて形成され、例えば、該放射線遮蔽シートを中間層に有するとともに、該中間層を保護する最内層及び最外層（塩化ビニル樹脂等のシート材）を有して形成される（図示省略）。このような放射線遮蔽シートを所定形状に裁断して放射線遮蔽シート部１０とする。放射線遮蔽シート部１０の縁部は、合成樹脂シート等の適宜素材を用いた縁取りテープ１５によって、縫着等の手段で、補強を兼ねた縁取り処理がなされている。放射線遮蔽シート部１０は、柔軟で可撓性を有する。
【００１１】
放射線遮蔽シート部１０は、内周弧状部１１と外周弧状部１２とによって幅広の略Ｃ字状に形成されている。内周弧状部１１と外周弧状部１２はそれぞれ全体として弧状であればよくその一部に直線部を含んでいてもよい。内周弧状部１１は脇下部に当てる部分となる。
図示のとおり、内周弧状部１１よりも外周弧状部１２の方が膨らみ程度が大きくなるように形成するとよい。なお、本実施例では、内周弧状部１１の各端部１１ａ，１１ｂと外周弧状部１２の各端部１２ａ，１２ｂとをそれぞれ直線状に結んでいるが、適宜曲線状に結ぶことも可能である。
放射線遮蔽シート部１０の大きさは、例えば、内周弧状部１１の幅Ｌ２：１７〜２０ｃｍ、内周弧状部１１の高さＨ１：７〜１０ｃｍ程度、外周弧状部１２の幅（最大幅）Ｌ４：２８〜３２ｃｍ、外周弧状部１２の高さＨ３：２３〜２６ｃｍ程度である。
【００１２】
また、内周弧状部１１の一方端部１１ａと外周弧状部１２の一方端部１２ａとの間の長さをＬ１、内周弧状部１１の他方端部１１ｂと外周弧状部１２の他方端部１２ｂとの間の長さをＬ３とすると、Ｌ１＞Ｌ３となるように形成されており、換言すると、放射線遮蔽シート部１０の、胸部側に位置することとなる内周弧状部１１の一方端部１１ａ側の幅Ｌ１が、背面側に位置することとなる内周弧状部１１の他方端部１１ｂ側の幅Ｌ３よりも大となっている。例えば、Ｌ１は７〜９ｃｍ程度、Ｌ３は３〜５ｃｍ程度とすることができる。
また、内周弧状部１１の中間部と外周弧状部１２の中間部との間の長さＨ２（＝Ｈ３−Ｈ１）は、内周弧状部１１の一方端部１１ａと外周弧状部１２の一方端部１２ａとの間の長さＬ１よりも長く形成されている。
【００１３】
＜肩吊り紐＞
肩吊り紐２０は、放射線遮蔽シート部１０の内周弧状部１１の両端部１１ａ，１１ｂ近傍に縫着その他の適宜の手段で取り付けられており、長さ調節手段２５を有している。
本実施例では、長さ調節手段２５として、ラダーロックストラップ２５を用いている。ラダーロックストラップ２５は公知のものを使用し得る。タブ２６付きのものが好ましい。
肩吊り紐２０は、例えばナイロン等のベルト（例えば幅１．５〜２．５ｃｍ程度）によって形成されており、内周弧状部１１の他方端部１１ｂ近傍に取り付けられラダーロックストラップ２５が固定される背面側紐部２０ｂと、内周弧状部１１の一方端部１１ａ近傍に取り付けられラダーロックストラップ２５に挿通されて可動する前面側紐部２０ａとを備えている。前面側紐部２０ａはラダーロックストラップ２５のスリットに挿通された後、その端部を折り返して縫着されており、ラダーロックストラップ２５のスリットから抜けることがないようになっている。前面側紐部２０ａの端部を引くことによって肩吊り紐２０の着用長さが可変し、締め付け調節ができる。
【００１４】
また、肩吊り紐２０は滑り止め部材２７を備えている。滑り止め部材２７としては、例えば表面全体に凹凸が形成された、滑りにくい合成樹脂シートを用いることができる。本実施例では、かかる合成樹脂シートからなる滑り止め部材２７を、ほぼ内周弧状部１１の他方端部１１ｂ近傍からラダーロックストラップ２５へ至る間において、背面側紐部２０ｂに外嵌して装着している。
【００１５】
＜使用方法＞
放射線防護具１の使用方法について図２、図３を参照して説明する。
アームホールを有する放射線防護衣を着用する前に、放射線防護具１を身体に装着する。
先ず、放射線遮蔽シート部１０の内周弧状部１１が脇下に位置するように腕を通し、肩吊り紐２０を肩に吊りかける。
肩吊り紐２０に装着されているラダーロックストラップ２５から前面側紐部２０ａの端部が垂れている状態となるため、この前面側紐部２０ａの端部を下方へ引っ張ると、肩吊り紐２０と内周弧状部１１とによって形成される環状部が小径となって締めつけられ、図２に示すように、内周弧状部１１は上方へ移動して脇下部にフィットし、同時に、身体の脇下部近傍の胸面部から脇下部を含み背面部へ至る部位は、幅広の略Ｃ字状に形成された放射線遮蔽シート部１０によって覆われ、その状態が保持される。これで、放射線防護具１の身体への着用が完了する。
【００１６】
次いで、アームホール３１を有する放射線防護衣３０を着る。図３に示すように、放射線防護衣３０を着用した状態において、放射線防護衣３０のアームホール３１と脇下部ないし胸部側との間に開き（隙間）が出来ても、この開き部分は、放射線防護具１の放射線遮蔽シート部１０によって覆われているため、放射線防護衣３０のアームホール３１からの放射線の侵入を防ぐことができる。
放射線防護具１は、放射線防護衣３０とは分離している別体であるから、放射線防護衣１の着脱のし易さは損なわれず、かつ着用時においては肩部の動作が束縛されないため、作業性、動作性が損なわれることがない。また、放射線防護衣３０の重量が肩部にかかるため、放射線防護具１の肩吊り紐２０は肩の所定位置にぴったりと保持され、放射線防護具１が放射線防護衣３０の内側で不本意に動くことはない。
なお、放射線防護具１を身体から外すときは、放射線防護衣３０を脱いだ後、ラダーロックストラップ２５のタブ２６を上方へ摘み上げると、放射線防護具１の自重によって肩吊り紐２０を簡単に緩めることができ、外す動作も極めて簡便である。
【符号の説明】
【００１７】
１  放射線防護具
１０  放射線遮蔽シート部
１１  内周弧状部
１１ａ  内周弧状部の一方端部
１１ｂ  内周弧状部の他方端部
１２  外周弧状部
１２ａ  外周弧状部の一方端部
１２ｂ  外周弧状部の他方端部
２０  肩吊り紐
２０ａ  前面側紐部
２０ｂ  背面側紐部
２５  長さ調節手段（ラダーロックストラップ）
２７  滑り止め部材
３０  放射線防護衣
３１  アームホール
【図１】
0003193148.tif 000003
【図２】
0003193148.tif 000004
【図３】
0003193148.tif 000005